(57)【要約】      （修正有）【課題】任意の衝撃にもかかわらず、外皮が破裂しないことから、外皮内に充填の内容物を安全に維持することができ、且つ、外皮に水が接触しても外皮を安全に保護することが可能な空圧式銃用弾丸を提供する。【解決手段】空圧式銃用弾丸１は、互いに接合することにより破裂線１１を形成することになる外皮１０と、前記外皮１０内に充填される内容物２０と、前記外皮１０に付着され、外部衝撃を緩和してくれる緩衝カバー３０とを含んでなされる。空圧式銃用弾丸１０は、前記外皮１０の外部面全体に防水塗料が塗布される防水膜４０をさらに含んでなされることが望ましい。また、前記緩衝カバー３０は、前記破裂線１１が外部に露出されるように前記破裂線１１を基準として両側にそれぞれ付着されることが好ましく、前記外皮１０は、ボール形状又は銃丸形状から形成され得る。さらに、前記内容物２０は、蛍光物質を包含する蛍光塗料又は催涙液から形成される。【選択図】図３
2009204296.tif 000002
【特許請求の範囲】
【請求項１】
両側が互いに接合することにより破裂線を形成する外皮と、
前記外皮内に充填される内容物と、
前記外皮に付着され、外部衝撃を緩和させる緩衝カバーとを含んでなされる空圧式銃用弾丸。
【請求項２】
前記外皮の外部面全体に亘って防水塗料を塗布して形成する防水膜をさらに含んでなされることを特徴とする請求項１に記載の空圧式銃用弾丸。
【請求項３】
前記緩衝カバーは、前記破裂線が外部に露出されるように前記破裂線を基準として両側にそれぞれ付着されることを特徴とする請求項１に記載の空圧式銃用弾丸。
【請求項４】
前記外皮は、ボール形状から形成されることを特徴とする請求項１ないし３のうちの何れか一項に記載の空圧式銃用弾丸。
【請求項５】
前記外皮は、銃丸形状から形成されることを特徴とする請求項１ないし３のうちの何れか一項に記載の空圧式銃用弾丸。
【請求項６】
前記内容物は、蛍光物質を含める蛍光塗料から形成されることを特徴とする請求項１ないし３のうちの何れか一項に記載の空圧式銃用弾丸。
【請求項７】
前記内容物は、催涙液から形成されることを特徴とする請求項１ないし３のうちの何れか一項に記載の空圧式銃用弾丸。
【請求項８】
前記内容物は、紫外線感応発色物質を包含していることを特徴とする請求項１ないし３のうちの何れか一項に記載の空圧式銃用弾丸。
【発明の詳細な説明】
【技術分野】
【０００１】
本発明は、空圧式銃により発射され、対象物に当たって破裂することにより、その内部に充填されている塗料又は催涙液のような内容物が対象物に塗布されたり、又は対象物の周囲に拡散されることによって、サバイバルゲームや防犯用、護身用又は示威鎮圧用として活用することができる空圧式銃用弾丸に係る。
【背景技術】
【０００２】
一般に、サバイバルゲームとは、個人や団体が互いにチームを分けて山岳やゲーム場内を移動しながら、ペイントなどを内蔵したペイントボールを空圧式銃で撃ち合うことによって、撃たれた者と、撃たれていない者とを容易に区別しながら、模擬銃撃戦を行うゲームのことをいう。
【０００３】
図１は、従来技術によるサバイバルゲーム用ペイントボールの断面構造を示している。
従来技術によるサバイバルゲーム用ペイントボール１００は、図１に示したように、ゼラチンから製造された二つの半球を互いに接合することで破裂線１１１を形成する外皮１１０と、外皮１１０内に充填されている蛍光塗料１２０とを含めて形成される。
【０００４】
しかしながら、前述したような従来技術によるサバイバルゲーム用ペイントボール１００の場合は、一定衝撃を受けた時に破裂が容易に行われるように形成されているので、実際に空圧式銃により対象物へ発射されなかった場合でも、例えば、ミスで地面に落とした場合でも外皮１００に衝撃がそのまま伝えられるので外皮１００が破裂してしまい、その内部に充填の塗料１２０が漏れることになるという不具合があった。
【０００５】
また、外皮１１０が水に弱いゼラチンで製造されているため、従来技術によるサバイバルゲーム用ペイントボール１００が水に濡れる場合、外皮１１０が溶けることになるので、その内部に充填の蛍光塗料１２０が漏れてしまう問題点もあった。
【発明の開示】
【発明が解決しようとする課題】
【０００６】
したがって、本発明の目的は、任意の衝撃にもかかわらず、外皮が破裂しないことから、外皮内に充填の内容物を安全に維持することができるようにした空圧式銃用弾丸を提供することにある。
【０００７】
本発明の他の目的は、外皮に水が接触するような場合でも外皮を安全に 維持することができるようにした空圧式銃用弾丸を提供することにある。
【課題を解決するための手段】
【０００８】
前述した本発明の目的は、互いに接合することにより破裂線を形成することになる外皮と、前記外皮内に充填される内容物と、前記外皮に付着され、外部衝撃を緩和してくれる緩衝カバーとを含んでなされる空圧式銃用弾丸を提供することによって達成される。
【０００９】
本発明の望ましい特徴によれば、前記外皮の外部面全体に亘って防水塗料を塗布して形成する防水膜をさらに含んでなされる。
【００１０】
また、本発明の望ましい特徴によれば、前記緩衝カバーは、前記破裂線が外部に露出されるように前記破裂線を基準として両側にそれぞれ付着されている。
【００１１】
また、本発明の望ましい特徴によれば、前記外皮は、ボール形状から形成される。
【００１２】
また、本発明の望ましい特徴によれば、前記外皮は、銃丸形状から形成される。
【００１３】
また、本発明の望ましい特徴によれば、前記内容物は、蛍光物質を包含する蛍光塗料から形成される。
【００１４】
また、本発明の望ましい特徴によれば、前記内容物は、催涙液から形成される。
【００１５】
さらに、本発明の望ましい特徴によれば、前記内容物は、紫外線感応発色物質を包含している。
【発明の効果】
【００１６】
本発明による空圧式銃用弾丸によれば、外皮の外部に、例えば、シリコンから製造された緩衝カバーが付着されることによって、任意の衝撃が与えられてもその衝撃が著しく緩和し、外皮に伝えられることになるので、任意の衝撃にかかわらず、外皮の破裂は生じない。それゆえ、外皮内に充填の内容物を安全に維持することができるという格別な効果を奏する。
【００１７】
また、防水塗料により外皮の外部面全体に防水膜が施されることによって、外皮に水が接触したとしても損傷を生じさせず、安全に保護することができる。
【００１８】
また、外皮が銃丸状に形成された場合は、対象体に対する的中率がさらに高まるという効果をも奏する。
【発明を実施するための最良の形態】
【００１９】
以下、本発明の望ましい実施例を添付図面に基づいて述べるが、これは、本発明が属する技術分野において通常の知識を有する者が発明を容易に実施しえる程度に詳細に説明するためのものであって、これにより本発明の技術的な思想及び範疇が限定されることを意味するのではない。
【００２０】
図２は、本発明の一実施例による空圧式銃用弾丸の斜視図であり、図３は、本発明の一実施例による空圧式銃用弾丸の断面図であり、図４は、本発明の他の実施例による空圧式銃用弾丸の斜視図であり、図５は、本発明の他の実施例による空圧式銃用弾丸の断面図である。
【００２１】
本発明による空圧式銃用弾丸１、１´は、任意の衝撃にもかかわらず、外皮１０、１０´が破裂しないことから、外皮１０、１０´内に充填の内容物２０を安全に維持することができ、且つ、外皮１０、１０´に水が接触しても外皮１０を安全に保護することができるようにしたものであって、図２乃至図５に示したように、互いに接合することにより破裂線１１、１１´を形成している外皮１０、１０´と、外皮１０、１０´内に充填の内容物２０と、外皮１０、１０´の両側にそれぞれ付着され、外部衝撃を緩和させる緩衝カバー３０とを含めてなされる。
【００２２】
そこで、外皮１０、１０´は、後述する内容物２０を収容するための一種のケースであって、通常、本発明による空圧式銃用弾丸１、１´が空圧式銃により対象体に発射される場合、対象体に与えられる衝撃を最小限に抑制すべくゼラチン材からなる。
【００２３】
また、外皮１０、１０´は、本発明による空圧式銃用弾丸１、１´が対象体に当たると容易に破裂されると共に、その内部に充填の内容物２０が対象体に作用することができるように、ゼラチン材からなる二つの部分を互いに接合することにより、その中央に破裂線１１、１１´が自動的に形成されるように製造する。
【００２４】
破裂線１１、１１´は、本発明による空圧式銃用弾丸１、１´が対象体に衝突する場合、衝撃による応力が集中する部分であって、外皮１０、１０´は、この破裂線１１、１１´に沿って破裂されながら、その内部に充填の内容物２０が漏れるようになっている。
【００２５】
外皮１０、１０´は、図３に示したように一般のサバイバルゲーム用ガンのペイントボールと同じく半球形状の外皮部分が互いに接合することにより、その中央に破裂線１１が形成されるボール形状に形成される(図面符号１０に該当)ことも可能であり、実施例によれば、図４に示したように弾頭状の外皮部分と弾体状の外皮部分が互いに接合することにより弾頭側縁に破裂線１１が形成される銃丸形状に形成される(図面符号１０´に該当)ことも可能である。
【００２６】
銃丸形状に形成されている外皮１０´の場合は、主に防犯用、護身用又は示威鎮圧用ガス銃の弾丸用度で使われるもので、この場合は、銃丸形状の外皮による流体力学的特性により対象体に対する的中率が増大し、射距離も大幅に増大するという良さがある。
【００２７】
前述した外皮１０、１０´内には内容物２０が充填されるが、この内容物２０は、本発明による空圧式銃用弾丸１、１´の特定用度に応じて対象体に作用する機能性液体のことであって、本発明による空圧式銃用弾丸１、１´がサバイバル用ガンに使われる場合は、蛍光物質を含む蛍光塗料からなることも可能であり、本発明による空圧式銃用弾丸１、１´が防犯用、護身用又は示威鎮圧用ガス銃に使われる場合は、通常の催涙液で形成することができる。
【００２８】
また、内容物２０には紫外線感応発色物質が含まれることが望ましいが、この紫外線感応発色物質は、例えば、紫外線ランプの照射などにより紫外線に露出される場合に発色するようになっていることにより、本発明による空圧式銃用弾丸１、１´が的中した対象体を容易に識別し得るようにすることによって、対象体の追跡、検挙が容易に行われるようにするものであって、通常、多く用いられる紫外線感応粉末又は紫外線感応塗料で形成することができる。
【００２９】
前述した外皮１０、１０´の両側には緩衝カバー３０がそれぞれ付着されるが、この緩衝カバー３０は、例えば、本発明による空圧式銃用弾丸１、１´を地面に落とすことにより本発明による空圧式銃用弾丸１、１´に任意の衝撃が与えられた場合でもその衝撃を緩衝し、外皮に伝達することによって、任意の衝撃にもかかわらず、外皮１０、１０´が破裂されることがないようにするものであって、緩衝が容易となるようにシリコン材から製造する。
【００３０】
ボール形状になっている外皮１０の場合は、緩衝カバー３０が同じ厚さで付着され、全体的にボール形状をそのまま維持することが望ましく、銃丸形状に形成される外皮１０´の場合は、対象体に対する的中率が向上するように他の部分より弾頭側の部分をより厚く形成することが好ましい。
【００３１】
また、緩衝カバー３０は、本発明による空圧式銃用弾丸１、１´が空圧式銃により発射され、対象体に的中される場合、外皮１０、１０´が容易に破裂し、内容物２０が漏れるように、破裂線１１、１１´を基準として両側にそれぞれ接着剤などにより付着されることが望ましく、この場合、破裂線１１、１１´は、緩衝カバー３０の付着にもかかわらず、外部にその通り露出されるようになっている。
【００３２】
前述した外皮１０、１０´の外部面全体には防水膜４０が施されるのが望ましいが、この防水膜４０は、水が外皮１０、１０´と直接接触するのを遮断し、通常ゼラチンから製造する外皮１０、１０´が水との接触により溶けることを防止する役割を果たすもので、外皮１０、１０´の外部面全体に、例えばエポキシ、ポリウレタンなどを含有する通常の防水塗料を塗布することにより形成される。
【００３３】
したがって、本発明による空圧式銃用弾丸１、１´は、外皮１０、１０´の外部に緩衝カバー３０が付着されることによって、任意の衝撃が与えられてもその衝撃が著しく緩和され、外皮に伝えられるので、任意の衝撃にもかかわらず、外皮１０、１０´が破裂しなくなり、その結果、外皮１０、１０´内に充填の内容物を安全に維持することができる。
【００３４】
また、本発明による空圧式銃用弾丸１、１´は、防水塗料により外皮１０、１０´の外部面全体に防水膜４０が施されることによって、外皮１０、１０´に水が接触しても外皮１０、１０´が水により損傷を受けないので、安全に保護される。
【００３５】
さらに、銃丸形状の外皮１０´を有する本発明による空圧式銃用弾丸１´の場合は、対象体に対する的中率が向上すると同時に射距離が増大する。
【図面の簡単な説明】
【００３６】
【図１】従来技術によるサバイバルゲーム用ペイントボールの断面図である。
【図２】本発明の一実施例による空圧式銃用弾丸の斜視図である。
【図３】本発明の一実施例による空圧式銃用弾丸の断面図である。
【図４】本発明の他の実施例による空圧式銃用弾丸の斜視図である。
【図５】本発明の他の実施例による空圧式銃用弾丸の断面図である。
【符号の説明】
【００３７】
１、１´  本発明による空圧式銃用弾丸 
１０、１０´  外皮
１１、１１´  破裂線
２０  内容物
３０  緩衝カバー
４０  防水膜
１００  従来技術によるサバイバルゲーム用ペイントボール
１１０  外皮
１２０  蛍光塗料
【図１】
2009204296.tif 000003
【図２】
2009204296.tif 000004
【図３】
2009204296.tif 000005
【図４】
2009204296.tif 000006
【図５】
2009204296.tif 000007